(57)【要約】【課題】ネットワークを構成する信号分岐装置において分岐可能なリンクの制約がある場合でも、該ネットワークを経由して送信される信号の経路（パス）を自動的に設定する。【解決手段】ＲＯＡＤＭ装置が、ノード装置から信号が送信されるリンクと、そのリンクを用いて送信された信号がＷＤＭネットワークを介して伝送される場合に、その信号の分岐が可能なＲＯＡＤＭ装置のリンクとが仮想的に接続された仮想リンクの情報を含むリンク情報を生成し、生成したリンク情報を送信する。【選択図】        図２
2008078933.tif 000002
【特許請求の範囲】
【請求項１】
第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、
前記仮想リンク生成手段により生成されたリンク情報を送信するリンク情報送信手段と、
を備えたことを特徴とする信号中継装置。
【請求項２】
前記仮想リンク生成手段は、自装置と実回線を介して接続された信号分岐装置との間の実リンクを含めたリンク情報を生成することを特徴とする請求項１に記載の信号中継装置。
【請求項３】
前記ノード装置が信号の送信に用いるリンクと、該リンクを用いて送信された信号が前記第一のネットワークを介して伝送される場合に該信号の分岐が可能な信号分岐装置のリンクとを対応付けた接続可能リンク情報を記憶する接続可能リンク記憶手段をさらに備え、
前記仮想リンク生成手段は、前記接続可能リンク記憶手段により記憶された接続可能リンク情報に基づいて前記仮想リンクを含むリンク情報を生成することを特徴とする請求項１または２に記載の信号中継装置。
【請求項４】
前記仮想リンク生成手段は、前記接続可能リンク記憶手段により記憶された接続可能リンク情報が変更されるたびに前記仮想リンクを含むリンク情報を再生成し、
前記リンク情報送信手段は、前記仮想リンク生成手段により仮想リンクが再生成されるたびに該仮想リンクを含むリンク情報を再送信することを特徴とする請求項３に記載の信号中継装置。
【請求項５】
前記リンク情報送信手段により送信されたリンク情報に基づいて算出された前記仮想リンクの情報を含む経路情報を前記ノード装置から受信した場合に、該経路情報に含まれる仮想リンクの情報を、自装置と実回線を介して接続された信号分岐装置との間の実リンクの情報に変換し、変換した実リンクの情報を含む経路情報を転送する経路情報転送手段をさらに備えたことを特徴とする請求項１〜４のいずれか一つに記載の信号中継装置。
【請求項６】
信号分岐装置および信号中継装置により構成される第一のネットワークを経由した信号の送信経路を算出するノード装置であって、
前記ノード装置から信号が送信されるリンクと、該リンクにより送信された信号が前記第一のネットワークを介して伝送される場合に該信号の分岐が可能な前記信号分岐装置のリンクとが仮想的に接続された仮想リンクを含むリンク情報を生成する信号中継装置により送信されたリンク情報を受信するリンク情報受信手段と、
前記リンク情報受信手段により受信されたリンク情報に基づいて前記送信経路を算出する経路計算手段と、
前記経路計算手段により算出された送信経路を経路情報として送信する経路情報送信手段と、
を備えたことを特徴とするノード装置。
【請求項７】
前記経路計算手段は、算出した送信経路に仮想リンクの情報が含まれていた場合に、該仮想リンクの情報を信号中継装置と実回線で接続されている信号分岐装置との間の実リンクの情報に変換することを特徴とする請求項６に記載のノード装置。
【請求項８】
第一のネットワークを介して伝送される信号を第二のネットワークに分岐する信号分岐装置と、第三のネットワークを介して送信される信号を前記第一のネットワークに挿入する信号中継装置と、前記第一のネットワークを経由した信号の送信経路を算出するノード装置とから構成されるネットワークシステムであって、
前記信号中継装置が、
第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、
前記仮想リンク生成手段により生成されたリンク情報を送信するリンク情報送信手段と、
を備え、
前記ノード装置が、
前記信号中継装置により送信されたリンク情報を受信するリンク情報受信手段と、
前記リンク情報受信手段により受信されたリンク情報に基づいて前記送信経路を算出する経路計算手段と、
前記経路計算手段により算出された送信経路を経路情報として送信する経路情報送信手段と、
を備えたことを特徴とするネットワークシステム。
【請求項９】
第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成方法であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成工程と、
前記仮想リンク生成工程により生成されたリンク情報を送信するリンク情報送信工程と、
を含んだことを特徴とする仮想リンク生成方法。
【請求項１０】
第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成プログラムであって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手順と、
前記仮想リンク生成手順により生成されたリンク情報を送信するリンク情報送信手順と、
をコンピュータに実行させることを特徴とする仮想リンク生成プログラム。
【発明の詳細な説明】
【技術分野】
【０００１】
この発明は、第一のネットワークを介して伝送される信号を第二のネットワークに分岐する信号分岐装置と、第三のネットワークを介して送信される信号を前記第一のネットワークに挿入する信号中継装置と、前記第一のネットワークを経由した信号の送信経路を算出するノード装置とから構成されるネットワークシステムにおける信号中継装置、ノード装置、ネットワークシステム、仮想リンク生成方法および仮想リンク生成プログラムに関する。
【背景技術】
【０００２】
近年、通信事業者のバックボーンネットワークやＷＡＮ（Wide Area Network）などの大規模ネットワークにおいては、光通信ネットワークなど伝送速度が高速なネットワークを経由して、送信側端末と受信側端末との間で通信が行われている。かかる光通信ネットワークの通信方式としては、ＷＤＭ（Wavelength Division Multiplexing）や、ＳＯＮＥＴ／ＳＤＨ（Synchronous Optical NETwork/Synchronous Digital Hierarchy）などがある。
【０００３】
光通信ネットワークを経由して通信を行う場合には、事前に、送信側の端末装置が接続されている伝送装置と、受信側の端末装置が接続されている伝送装置との間でパスを確立する必要がある。パスとは、光通信における一つの波長を占有する信号の経路のことである。
【０００４】
ここで、パスの確立方法について簡単に説明する。光通信ネットワークに接続されている伝送装置は、自装置の識別情報や、自装置に接続されている伝送装置（以下、「対向装置」と呼ぶ）の識別情報を含んだリンク情報をネットワーク内外の伝送装置に広告するとともに、他の伝送装置から広告されたリンク情報を収集する。そして、自装置に接続されている端末装置からパスの確立を要求された伝送装置は、収集したリンク情報に基づいて、受信側の端末装置が接続されている伝送装置までのパスを確立する。
【０００５】
上述したリンク情報の広告には、ルーティングプロトコルが用いられ、パスの確立には、シグナリングプロトコルが、それぞれ用いられる。例えばＧＭＰＬＳ（Generalized Multi-Protocol Label Switching）を利用したネットワークにおいては、ルーティングプロトコルとしてはＯＳＰＦ−ＴＥ（Open Shortest Path First-Traffic Engineering）が、シグナリングプロトコルとしてはＲＳＶＰ−ＴＥ（resource Reservation Protocol-Traffic Engineering）が、それぞれ用いられる。
【０００６】
しかし、光通信ネットワークにおいて伝送装置間で信号が伝送される際には、伝送装置自身や、伝送路である光ファイバでの信号の損失量、分散量、非線形性などの物理的要因および伝送距離などによって、パスが確立された後の通信において信号が正常に伝送されないという問題が生じる場合がある。
【０００７】
そこで、光通信ネットワークを構成している伝送装置間で信号の送受信が可能であるか否かをあらかじめ検証し、信号の送受信が可能である装置間で仮想リンク（仮想的なリンク）を生成して、ネットワーク外部の装置に対しては、実際に光ファイバで接続されているリンクのリンク情報ではなく、生成した仮想リンクのリンク情報を広告することによって、光ネットワーク内部の接続制約を隠蔽する方法が考案されている（例えば、特許文献１参照。）。
【０００８】
【特許文献１】特開２００３−１８２００号公報
【発明の開示】
【発明が解決しようとする課題】
【０００９】
しかしながら、光通信ネットワークを構成する伝送装置が、例えばＲＯＡＤＭ装置のように、装置の構成上、ネットワーク外部の伝送装置との間のリンクが制約される伝送装置である場合には、仮想リンクを経由して確立されたパスに沿って送信側の伝送装置から信号が送信された場合でも、光通信ネットワークと外部の伝送装置との境界に位置する伝送装置において、ネットワーク外部の伝送装置に対して信号を分岐することができない場合がある。
【００１０】
図１２は、ＲＯＡＤＭ装置の構成を示す図である。同図に示すＲＯＡＤＭ装置１は、波長λ５、λ７、λ９、λ１１およびλ１３の５種類の信号を多重化しており、ポートＬ、ＭおよびＮを介して、光通信ネットワークの外部のノード装置との間で、波長λ５、λ７およびλ９の信号をそれぞれ伝送する３つのリンクを接続することができる。
【００１１】
すなわち、このＲＯＡＤＭ装置１は、波長λ１１およびλ１３の信号を分岐することはできない。そのため、他のＲＯＡＤＭ装置を経由して波長λ１１やλ１３の信号を伝送するための仮想パスが設定されたとしても、それらの信号を光通信ネットワークの外部のノード装置に対して分岐することはできない。
【００１２】
さらに、ＲＯＡＤＭ装置が接続されるネットワークの課題について説明する。図１３は、接続制約のあるネットワークの課題を説明するための図である。同図は、光通信ネットワークを示しており、光ファイバを介してＲＯＡＤＭ装置１ａ〜１ｄが接続されることにより構成されている。また、同図に示すノード装置２ａ〜２ｄは、光通信ネットワークの外部のノード装置であり、ＲＯＡＤＭ装置１ａ〜１ｄにそれぞれ接続され、ＲＯＡＤＭ装置１ａ〜１ｄを介して、光通信ネットワークに信号を挿入し、また、光通信ネットワークから信号が分岐されている。
【００１３】
ここで、ＲＯＡＤＭ装置１ａとノード装置２ａとは、光通信ネットワーク内を波長λ５およびλ９で伝送される信号を分岐／挿入し伝達するリンクで接続されており、ＲＯＡＤＭ装置１ｂとノード装置２ｂとは、光通信ネットワーク内を波長λ７およびλ９で伝送される信号を分岐／挿入し伝達するリンクで接続されており、ＲＯＡＤＭ装置１ｄとノード装置２ｄとは、光通信ネットワーク内を波長λ５およびλ７で伝送される信号を分岐／挿入し伝達するリンクで接続されている（ＲＯＡＤＭ装置１ｃおよびノード装置２ｃについては説明を省略する）。さらに、ＲＯＡＤＭ装置１ａと１ｄ、ＲＯＡＤＭ装置１ｂと１ｄの間には、それぞれ仮想リンクが生成されているとする。
【００１４】
この場合、例えば、ノード装置２ａとノード装置２ｄとの間に、光通信ネットワーク内を波長λ５で伝送される信号のパスＸを設定することは可能である。しかし、ノード装置２ｂとノード装置２ｄとの間に、光通信ネットワーク内を波長λ９で伝送される信号のパスＹを設定しようとした場合には、当該信号を分岐することが可能なリンクがＲＯＡＤＭ装置１ｄとノード装置２ｄとの間に存在しないため、このパスＹを設定することはできない。
【００１５】
このように、設定しようとするパスが仮想リンクを通る場合には、仮想リンクの出口となるＲＯＡＤＭ装置において、当該パスによって伝送される信号の波長が分岐可能であるか否かを、パスを設定する際にあらかじめ認識しておく必要がある。ＲＯＡＤＭ装置が分岐可能な波長の情報を、パス設定時に手動で入力することも可能ではあるが、そのためには管理者の多大な労力が必要になり、現実的ではない。
【００１６】
この発明は、上述した従来技術による問題点を解消するためになされたものであり、ネットワークを構成する信号分岐装置において分岐可能なリンクの制約がある場合でも、該ネットワークを経由して送信される信号の経路（パス）を自動的に設定することを目的とする。
【課題を解決するための手段】
【００１７】
上述した課題を解決し、目的を達成するため、本発明は、第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、前記仮想リンク生成手段により生成されたリンク情報を送信するリンク情報送信手段と、を備えたことを特徴とする。
【００１８】
また、本発明は、上記の発明において、前記仮想リンク生成手段は、自装置と実回線を介して接続された信号分岐装置との間の実リンクを含めたリンク情報を生成することを特徴とする。
【００１９】
また、本発明は、上記の発明において、前記ノード装置が信号の送信に用いるリンクと、該リンクを用いて送信された信号が前記第一のネットワークを介して伝送される場合に該信号の分岐が可能な信号分岐装置のリンクとを対応付けた接続可能リンク情報を記憶する接続可能リンク記憶手段をさらに備え、前記仮想リンク生成手段は、前記接続可能リンク記憶手段により記憶された接続可能リンク情報に基づいて前記仮想リンクを含むリンク情報を生成することを特徴とする。
【００２０】
また、本発明は、上記の発明において、前記仮想リンク生成手段は、前記接続可能リンク記憶手段により記憶された接続可能リンク情報が変更されるたびに前記仮想リンクを含むリンク情報を再生成し、前記リンク情報送信手段は、前記仮想リンク生成手段により仮想リンクが再生成されるたびに該仮想リンクを含むリンク情報を再送信することを特徴とする。
【００２１】
また、本発明は、上記の発明において、前記リンク情報送信手段により送信されたリンク情報に基づいて算出された前記仮想リンクの情報を含む経路情報を前記ノード装置から受信した場合に、該経路情報に含まれる仮想リンクの情報を、自装置と実回線を介して接続された信号分岐装置との間の実リンクの情報に変換し、変換した実リンクの情報を含む経路情報を転送する経路情報転送手段をさらに備えたことを特徴とする。
【００２２】
また、本発明は、信号分岐装置および信号中継装置により構成される第一のネットワークを経由した信号の送信経路を算出するノード装置であって、前記ノード装置から信号が送信されるリンクと、該リンクにより送信された信号が前記第一のネットワークを介して伝送される場合に該信号の分岐が可能な前記信号分岐装置のリンクとが仮想的に接続された仮想リンクを含むリンク情報を生成する信号中継装置により送信されたリンク情報を受信するリンク情報受信手段と、前記リンク情報受信手段により受信されたリンク情報に基づいて前記送信経路を算出する経路計算手段と、前記経路計算手段により算出された送信経路を経路情報として送信する経路情報送信手段と、を備えたことを特徴とする。
【００２３】
また、本発明は、上記の発明において、前記経路計算手段は、算出した送信経路に仮想リンクの情報が含まれていた場合に、該仮想リンクの情報を信号中継装置と実回線で接続されている信号分岐装置との間の実リンクの情報に変換することを特徴とする。
【００２４】
また、本発明は、第一のネットワークを介して伝送される信号を第二のネットワークに分岐する信号分岐装置と、第三のネットワークを介して送信される信号を前記第一のネットワークに挿入する信号中継装置と、前記第一のネットワークを経由した信号の送信経路を算出するノード装置とから構成されるネットワークシステムであって、前記信号中継装置が、第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、前記仮想リンク生成手段により生成されたリンク情報を送信するリンク情報送信手段と、を備え、前記ノード装置が、前記信号中継装置により送信されたリンク情報を受信するリンク情報受信手段と、前記リンク情報受信手段により受信されたリンク情報に基づいて前記送信経路を算出する経路計算手段と、前記経路計算手段により算出された送信経路を経路情報として送信する経路情報送信手段と、を備えたことを特徴とする。
【００２５】
また、本発明は、第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成方法であって、前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成工程と、前記仮想リンク生成工程により生成されたリンク情報を送信するリンク情報送信工程と、を含んだことを特徴とする。
【００２６】
また、本発明は、第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成プログラムであって、前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手順と、前記仮想リンク生成手順により生成されたリンク情報を送信するリンク情報送信手順と、をコンピュータに実行させることを特徴とする。
【発明の効果】
【００２７】
本発明によれば、信号中継装置が、ノード装置が信号の送信に用いるリンクと、そのリンクを用いて送信された信号が第一のネットワークを介して伝送される場合に、その信号の分岐が可能な信号分岐装置のリンクとが仮想的に接続された仮想リンクを含むリンク情報を生成し、生成したリンク情報を送信するよう構成したので、ノード装置において、かかるリンク情報に基づいて信号を送信する経路を計算することが可能になり、ネットワークを構成する信号分岐装置において分岐可能なリンクの制約がある場合でも、該ネットワークを経由して送信される信号の経路を自動的に設定することができるという効果を奏する。
【００２８】
また、本発明によれば、信号中継装置が、自装置と実回線を介して接続された信号分岐装置との間の実リンクを含めたリンク情報を生成するよう構成したので、ノード装置において、経路計算が行われる際に仮想リンクを実リンクに変換することが可能になり、仮想リンクの変換を行う機能を有さない信号中継装置および信号分岐装置でも、信号の経路を設定することができるという効果を奏する。
【００２９】
また、本発明によれば、信号中継装置が、ノード装置が信号の送信に用いるリンクと、そのリンクを用いて送信された信号が第一のネットワークを介して伝送される場合に、その信号の分岐が可能な信号分岐装置のリンクとを対応付けた接続可能リンク情報を記憶し、記憶した接続可能リンク情報に基づいて仮想リンクを含むリンク情報を生成するよう構成したので、かかる接続可能リンク情報を適宜変更することによって、生成される仮想リンクを変更することができるという効果を奏する。
【００３０】
また、本発明によれば、信号中継装置が、記憶した接続可能リンク情報が変更されるたびに仮想リンクを含むリンク情報を再生成し、仮想リンクを再生成するたびに当該仮想リンクを含むリンク情報を再送信するよう構成したので、かかる接続可能リンク情報を適宜変更することによって、生成される仮想リンクを自動的に変更することができるという効果を奏する。
【００３１】
また、本発明によれば、信号中継装置が、送信したリンク情報に基づいて算出された仮想リンクの情報を含む経路情報をノード装置から受信した場合に、その経路情報に含まれる仮想リンクの情報を、自装置と実回線を介して接続された信号分岐装置との間の実リンクの情報に変換し、変換した実リンクの情報を含む経路情報を転送するよう構成したので、仮想リンクの変換を行う機能を有さないノード装置を用いた場合でも、信号の経路を設定することができるという効果を奏する。
【００３２】
また、本発明によれば、ノード装置が、ノード装置から信号が送信されるリンクと、そのリンクにより送信された信号が第一のネットワークを介して伝送される場合に、その信号の分岐が可能な信号分岐装置のリンクとが仮想的に接続された仮想リンクを含むリンク情報を生成する信号中継装置により送信されたリンク情報を受信し、受信したリンク情報に基づいて送信経路を算出し、算出した送信経路を経路情報として送信するよう構成したので、かかる経路情報に基づいて経路設定を行うことにより、ネットワークを構成する信号分岐装置において分岐可能なリンクの制約がある場合でも、該ネットワークを経由して送信される信号の経路を自動的に設定することができるという効果を奏する。
【００３３】
また、本発明によれば、ノード装置が、算出した送信経路に仮想リンクの情報が含まれていた場合に、その仮想リンクの情報を信号中継装置と実回線で接続されている信号分岐装置との間の実リンクの情報に変換するよう構成したので、信号中継装置に送信される経路情報はすでに実リンクのみに変換されていることになり、仮想リンクの変換を行う機能を有さない信号中継装置および信号分岐装置を用いた場合でも、信号の経路を設定することができるという効果を奏する。
【発明を実施するための最良の形態】
【００３４】
以下に添付図面を参照して、この発明に係る信号中継装置、ノード装置、ネットワークシステム、仮想リンク生成方法および仮想リンク生成プログラムの好適な実施例を詳細に説明する。なお、本実施例では、本発明を、ＷＤＭネットワークに対して信号の挿入および分岐を行うＲＯＡＤＭ装置に適用した場合を中心に説明する。
【実施例】
【００３５】
まず、図１、２および３を用いて、本実施例に係る仮想リンクの生成方法について説明する。図１、２および３は、本実施例に係る仮想リンクの生成方法を説明するための図（１）、（２）および（３）である。各図に示すネットワークは、ＷＤＭ方式で多重化されたリング型のネットワークであり、このＷＤＭネットワークには、装置Ａ〜Ｅがそれぞれ接続されている。ここで、装置Ａ〜Ｅは、それぞれ、ＷＤＭネットワークに対して光信号の挿入および分岐を行うＲＯＡＤＭ装置である。
【００３６】
各装置は、それぞれ、ＩＰ（Internet Protocol）ネットワークやＬＡＮ（Local Area Network）など、伝送速度が低速なネットワーク（以下、「低速ネットワーク」と呼ぶ）にも接続されており、かかる低速ネットワークから伝送された信号を、所定の波長の光信号としてＷＤＭネットワークに挿入することができる一方、ＷＤＭネットワークから伝送された所定の波長の光信号を、低速ネットワークに分岐することができる。
【００３７】
具体的には、装置Ａは、低速側リンクＡ３、Ａ４およびＡ５を介して低速ネットワークと接続されており、低速側リンクＡ３、Ａ４およびＡ５から伝送された信号を、それぞれ、波長λ５、λ７およびλ９の光信号としてＷＤＭネットワークに挿入することができる一方、ＷＤＭリンクＡ１およびＡ２を介してＷＤＭネットワークから伝送された波長λ５、λ７およびλ９の光信号を、それぞれ、低速側リンクＡ３、Ａ４およびＡ５を介して、低速ネットワークに分岐することができる。
【００３８】
また、装置Ｂは、低速側リンクＢ３およびＢ４を介して低速ネットワークと接続されており、低速側リンクＢ３およびＢ４を介して伝送された信号を、それぞれ、波長λ１１およびλ７の光信号としてＷＤＭネットワークに挿入することができる一方、ＷＤＭリンクＢ１およびＢ２を介してＷＤＭネットワークから伝送された波長λ１１およびλ７の光信号を、それぞれ、低速側リンクＢ３およびＢ４を介して低速ネットワークに分岐することができる。
【００３９】
また、装置Ｃは、低速側リンクＣ３、Ｃ４およびＣ５を介して低速ネットワークと接続されており、低速側リンクＣ３、Ｃ４およびＣ５から伝送された信号を、それぞれ、波長λ１３、λ９およびλ５の光信号としてＷＤＭネットワークに挿入することができる一方、ＷＤＭリンクＣ１およびＣ２を介してＷＤＭネットワークから伝送された波長λ１３、λ９およびλ５の光信号を、それぞれ、低速側リンクＣ３、Ｃ４およびＣ５を介して、低速ネットワークに分岐することができる。
【００４０】
また、装置Ｄは、低速側リンクＤ３、Ｄ４およびＤ５を介して低速ネットワークと接続されており、低速側リンクＤ３、Ｄ４およびＤ５から伝送された信号を、それぞれ、波長λ５、λ７およびλ１１の光信号としてＷＤＭネットワークに挿入することができる一方、ＷＤＭリンクＤ１およびＤ２を介してＷＤＭネットワークから伝送された波長λ５、λ７およびλ１１の光信号を、それぞれ、低速側リンクＤ３、Ｄ４およびＤ５を介して、低速ネットワークに分岐することができる。
【００４１】
また、装置Ｅは、低速側リンクＥ３、Ｅ４およびＥ５を介して低速ネットワークと接続されており、低速側リンクＥ３、Ｅ４およびＥ５から伝送された信号を、それぞれ、波長λ５、λ７およびλ１３の光信号としてＷＤＭネットワークに挿入することができる一方、ＷＤＭリンクＥ１およびＥ２を介してＷＤＭネットワークから伝送された波長λ５、λ７およびλ１３の光信号を、それぞれ、低速側リンクＥ３、Ｅ４およびＥ５を介して、低速ネットワークに分岐することができる。
【００４２】
そして、装置Ａ〜Ｅは、それぞれ、自装置に接続されている低速ネットワークのリンク（以下、「低速側リンク」と呼ぶ）ごとに、自装置の低速側リンクと、その低速側リンクを介して伝送された信号を分岐することが可能な他の装置の低速側リンクとを対応付けた接続可能リンク情報を記憶している。ここでいう、信号を分岐することが可能な低速側リンクとは、その低速側リンクを介して信号を挿入・分岐する光パスの確立を試みた際に、ＷＤＭネットワーク側の挿入先・分岐元の光信号の波長が等しい低速側リンクのことである。
【００４３】
具体的には、図１に示すように、装置Ａは接続可能リンク情報３ａを、装置Ｂは接続可能リンク情報３ｂを、装置Ｃは接続可能リンク情報３ｃを、装置Ｄは接続可能リンク情報３ｄを、装置Ｅは接続可能リンク情報３ｅを、それぞれ記憶している。
【００４４】
例えば、装置Ａが記憶している接続可能リンク情報３ａでは、低速側リンクＡ３と、装置Ｃの低速側リンクＣ５、装置Ｄの低速側リンクＤ３および装置Ｅの低速側リンクＥ３とが対応付けられ、低速側リンクＡ４と、装置Ｂの低速側リンクＢ４、装置Ｄの低速側リンクＤ４および装置Ｅの低速側リンクＥ４とが対応付けられ、低速側リンクＡ５と、装置Ｃの低速側リンクＣ４とが対応付けられている。
【００４５】
本発明に係る仮想リンクの生成方法は、これら接続可能リンク情報が、ＷＤＭネットワークに接続されている各装置にあらかじめ記憶されていることが前提となる。なお、かかる接続可能リンク情報の生成および記憶方法については、特に言及しない。例えば、管理者が各装置に必要な情報を入力することによって生成および記憶してもよいし、ネットワーク管理装置（図示せず）が、それぞれの装置から低速側リンクに関する情報を収集して装置ごとに接続可能リンク情報を生成し、各装置がこれを取得して記憶するようにしてもよい。
【００４６】
このような前提のもと、ＷＤＭネットワークに接続された各装置は、記憶している接続可能リンク情報に基づいて、他の装置との間で仮想リンクを生成する。そして、各装置は、生成した仮想リンクを示すリンク情報を、ＷＤＭネットワークおよび低速ネットワークに接続された他の装置に対して広告する。
【００４７】
ここで広告されるリンク情報には、自装置を識別する識別子（以下、「自装置識別子」と呼ぶ）、自装置側の低速側リンクを識別する識別子（以下、「自装置側リンク識別子」と呼ぶ）、対向装置を識別する識別子（以下、「対向装置識別子」と呼ぶ）、自装置側の低速側リンクを分岐可能な対向装置側の低速側リンクを識別する識別子（以下、「対向装置側リンク識別子」と呼ぶ）、接続可能なリンクの組（以下、「接続可能リンクペア」と呼ぶ）とが含まれている。
【００４８】
ここで、図２を参照して、装置Ａと装置Ｄとの間で生成される仮想リンクについて考える。まず、装置Ａは、接続可能リンク情報３ａに基づいて、装置Ａの低速側リンクＡ３から装置Ｄの低速側リンクＤ３に抜けるパスが確立可能であることを示す仮想リンクと、装置Ａの低速側リンクＡ４から装置Ｄの低速側リンクＤ４に抜けるパスが確立可能であることを示す仮想リンクの、２本の仮想リンクを生成する。前者の仮想リンクは、同図に示すリンク情報４ａで示され、後者の仮想リンクは、同図に示すリンク情報４ｂで示される。
【００４９】
リンク情報４ａは、自装置識別子が「Ａ」、自装置側リンク識別子が「ＡＸ１」、対向装置識別子が「Ｄ」、対向装置側リンク識別子が「ＤＹ１」、接続可能リンクペアが「Ａ３とＤ３」である仮想リンクを示しており、リンク情報４ｂは、自装置識別子が「Ａ」、自装置側リンク識別子が「ＡＸ２」、対向装置識別子が「Ｄ」、対向装置側リンク識別子が「ＤＹ２」、接続可能リンクペアが「Ａ４とＤ４」である仮想リンクを示している。なお、ここで、ＡＸ１、ＡＸ２、ＤＹ１およびＤＹ２は、それぞれ、仮想リンクを示す識別子である。
【００５０】
一方、装置Ｄは、接続可能リンク情報３ｄに基づいて、装置Ｄの低速側リンクＤ３から装置Ａの低速側リンクＡ３に抜ける仮想リンクと、装置Ｄの低速側リンクＤ４から装置Ａの低速側リンクＡ４に抜ける仮想リンクの、２本の仮想リンクを生成する。前者の仮想リンクは、同図に示すリンク情報４ｃで示され、後者の仮想リンクは、同図に示すリンク情報４ｄで示される。
【００５１】
リンク情報４ｃは、自装置識別子が「Ｄ」、自装置側リンク識別子が「ＤＸ１」、対向装置識別子が「Ａ」、対向装置側リンク識別子が「ＡＹ１」、接続可能リンクペアが「Ｄ３とＡ３」であることを表しており、リンク情報４ｄは、自装置識別子が「Ｄ」、自装置側リンク識別子が「ＤＸ２」、対向装置識別子が「Ａ」、対向装置側リンク識別子が「ＡＹ２」、接続可能リンクペアが「Ｄ４とＡ４」であることを表している。なお、ここで、ＡＹ１、ＡＹ２、ＤＸ１およびＤＸ２は、それぞれ、仮想リンクを示す識別子である。
【００５２】
なお、図２の例では、低速側リンクの組ごとに仮想リンクを生成する場合を示したが、装置の組ごとに仮想リンクを生成してもよい。図３は、装置の組ごとに仮想リンクを生成する場合を示している。この場合、装置Ａは、装置Ａから装置Ｄに抜ける１本の仮想リンクを生成する。この仮想リンクは、同図に示すリンク情報５ａで示される。こうすることにより、生成される仮想リンクを示すリンク情報の数を減らすことができる。
【００５３】
リンク情報５ａは、自装置識別子が「Ａ」、自装置側リンク識別子が「ＡＸ１」、対向装置識別子が「Ｄ」、対向装置側リンク識別子が「ＤＹ１」、接続可能リンクペアが「Ａ３とＤ３」および「Ａ４とＤ４」である仮想リンクを示している。なお、ここで、ＡＸ１およびＤＹ１は、それぞれ、仮想リンクを示す識別子である。
【００５４】
一方、装置Ｄは、装置Ｄから装置Ａに抜ける１本の仮想リンクを生成する。この仮想リンクは、同図に示すリンク情報５ｂで示される。
【００５５】
リンク情報５ａは、自装置識別子が「Ｄ」、自装置側リンク識別子が「ＤＸ１」、対向装置識別子が「Ａ」、対向装置側リンク識別子が「ＡＹ１」、接続可能リンクペアが「Ｄ３とＡ３」および「Ｄ４とＡ４」である仮想リンクを示している。なお、ここで、ＡＹ１およびＤＸ１は、それぞれ、仮想リンクを示す識別子である。
【００５６】
すなわち、この場合、各装置は、複数の接続可能リンクペアをリンク情報に含むようにして、仮想リンクを生成する。
【００５７】
上述した仮想リンクの生成を、ＷＤＭネットワークに接続されている全ての装置が、それぞれ行う。そして、仮想リンクを生成した各装置は、ＷＤＭネットワークおよび自身に接続されている低速ネットワークに対して、生成した仮想リンクを示すリンク情報を広告する。これにより、ＷＤＭネットワークおよび低速ネットワークに接続されている装置において、仮想リンクのリンク情報を含めた全てのリンクのリンク情報が共有される。
【００５８】
このように、本発明は、対向装置との間で仮想リンクを生成する際に、当該対向装置まで信号が到達可能か否かを考慮するだけではなく、対向装置が信号を分岐可能か否かまで考慮して、仮想リンクを生成する点に主たる特徴がある。
【００５９】
次に、図４および５を参照して、仮想リンクが生成された後の、パスの設定方法について説明する。図４および５は、本実施例に係るパスの設定方法を説明するための図（１）および（２）である。同図に示すリング型のネットワークは、図１、２および３に示したＷＤＭネットワークであり、すでに仮想リンクの生成およびリンク情報の広告が行われているとする。
【００６０】
装置Ａには、低速側リンクＡ３、Ａ２およびＡ５を介して装置Ｑが接続されており、さらに装置Ｑには、リンクＱ１を介して装置Ｐが接続されている。また、装置Ｄには、低速側リンクＤ３、Ｄ４およびＤ５を介して装置Ｒが接続されており、さらに装置Ｒには、リンクＳ１を介して装置Ｓが接続されている。ここで、装置Ｄの低速側リンクＤ３、Ｄ４およびＤ５は、それぞれ、装置ＲのリンクＲ１、Ｒ２およびＲ３と同じリンクであるとする。なお、ここで示す装置Ｐ〜Ｓは、ＩＰネットワークやＬＡＮなど、ネットワークの接続点や、中継点となるノード装置である。
【００６１】
ここで、図４を参照して、装置Ｐから装置Ｓまでのパスを設定する場合について考える。まず、装置Ｐが、自装置に接続されている端末装置（図示せず）などを介して、端末利用者から装置Ｐから装置Ｓまでのパスの確立要求を受け付けたとする。これを契機に、装置Ｐは、自装置が記憶しているリンク情報を参照して、要求されたパスの経路計算を行う。ここで装置Ｐが参照するリンク情報には、ＷＤＭネットワークに接続されている装置によって生成された仮想リンクを示すリンク情報が含まれている。
【００６２】
続いて、装置Ｐは、経路計算の結果に基づいて、装置Ｑに対してパス確立要求メッセージを送信する（同図に示す（１））。このパス確立要求メッセージには、当該メッセージを送信する順番を示す指定経路情報として、装置ＱのリンクＱ１の識別子と、装置Ａの低速側リンクＡ３の識別子と、装置Ｄの仮想リンクＤＹ１の識別子と、装置ＲのリンクＲ１の識別子と、装置ＳのリンクＳ１の識別子とが含まれていたとする。ここで、装置Ｄの仮想リンクＤＹ１は、仮想リンクを示す識別子である。
【００６３】
装置Ｐからパス確立要求メッセージを受信した装置Ｑは、指定経路情報を参照し、指定されているリンクＱ１に経路設定を行うとともに、リンクＱ１の識別子を削除したパス確立要求メッセージを次の送信先である装置Ａに対して送信する（同図に示す（２））。
【００６４】
装置Ｑからパス確立要求メッセージを受信した装置Ａは、指定経路情報を参照し、指定されている低速側リンクＡ３に経路設定を行う。そして、装置Ａは、次の送信先に指定された装置Ｄの仮想リンクＤＹ１が、仮想リンクを示す識別子であることを確認すると、パス確立要求メッセージから仮想リンクＤＹ１の識別子を削除し、代わりに、実際にファイバで接続されているリンク（以下、実リンクと呼ぶ）の識別子、すなわち、装置ＥのＷＤＭリンクＥ２の識別子、および、装置ＤのＷＤＭリンクＤ２の識別子を挿入して、そのパス確立要求メッセージを次の送信先となる装置Ｅに対して送信する（同図に示す（３））。
【００６５】
装置Ａからパス確立要求メッセージを受信した装置Ｅは、指定経路情報を参照し、指定されているＷＤＭリンクＥ２に経路設定を行うとともに、ＷＤＭリンクＥ２の識別子を削除したパス確立要求メッセージを次の送信先である装置Ｄに対して送信する（同図に示す（４））。
【００６６】
以降、同様に、装置Ｄおよび装置Ｒを経由して装置Ｓまでパス確立要求メッセージが送信され、その結果、装置Ｐから装置Ｓまでのパスが確立される（同図に示す（５）および（６））。
【００６７】
このように、ＷＤＭネットワークに接続されている装置が、仮想リンクの識別子を含むパス確立要求メッセージを受信した場合に、当該仮想リンクの識別子を実リンクの識別子に置き換えることによって、仮想リンクを経由するパスを確立することができる。
【００６８】
なお、図４の例では、ＷＤＭネットワークに接続されている装置が、仮想リンクの識別子を実リンクの識別子に置き換える場合を示したが、パス確立の始点となる装置が、あらかじめ仮想リンクの識別子を実リンクの識別子に置き換えてもよい。この場合、ＷＤＭネットワークに接続されている装置は、前述した仮想リンクのリンク情報を広告する際に、仮想リンクに対応する実リンクの識別子を併せて広告しておく。
【００６９】
図５は、パス確立の始点となる装置が、あらかじめ仮想リンクの識別子を実リンクの識別子に置き換える場合を示している。同図に示す例では、装置Ｐが送信するパス確立要求メッセージにおいて、すでに仮想リンクＤＹ１の識別子が実リンクの識別子、すなわち装置ＥのＷＤＭリンクＥ２および装置ＤのＷＤＭリンクＤ２に置き換えられている。
【００７０】
次に、本実施例に係るＲＯＡＤＭ装置の構成について説明する。ここで説明するＲＯＡＤＭ装置は、図１〜５に示した装置Ａ〜Ｅに対応するものである。図６は、本実施例に係るＲＯＡＤＭ装置の構成を示す機能ブロック図である。同図に示すように、このＲＯＡＤＭ装置１０は、スイッチ部１１と、記憶部１２と、制御部１３とを有する。なお、ＲＯＡＤＭ装置１０は、一般的なＲＯＡＤＭ装置が有する他の機能部も同様に有するが、ここでは説明の便宜上、図示を省略している。
【００７１】
スイッチ部１１は、分波器１１ａと、合波器１１ｂと、光スイッチ１１ｃおよび１１ｄとを有し、これらにより、ＷＤＭネットワークから伝送される光信号に対して、低速側ネットワークから伝送される信号の挿入および分岐を切り替える機能部である。
【００７２】
記憶部１２は、各種情報を記憶する記憶部であり、本発明に関連するものとしては、接続可能リンク情報テーブル１２ａと、トポロジ情報テーブル１２ｂとを有する。接続可能リンク情報テーブル１２ａは、図１に示した接続可能リンク情報を記憶するテーブルである。具体的には、接続可能リンク情報には、自装置に接続されている低速側リンクごとに、自装置の低速側リンクと、その低速側リンクを介して伝送された信号を分岐することが可能な他の装置の低速側リンクとが対応付けられて記憶されている。
【００７３】
トポロジ情報テーブル１２ｂは、図２および３に示したリンク情報を記憶するテーブルである。このトポロジ情報テーブル１２ｂは、自装置のリンク情報のみではなく、他の装置から広告されたリンク情報も全て記憶しており、ここで記憶されるリンク情報には、仮想リンクを示すリンク情報も含まれる。具体的には、各リンク情報には、自装置識別子、自装置側リンク識別子、対向装置識別子、対向装置側リンク識別子および接続可能リンクペアの他に、コストに関する情報や帯域に関する情報などの属性情報も含まれる。さらに、リンク情報には、パス確立の始点となる装置において仮想リンクの識別子を実リンクの識別子に置き換える場合には、仮想リンクに対応する実リンクの識別子も含まれる。
【００７４】
制御部１３は、ＲＯＡＤＭ装置１０を全体制御する制御部であり、本発明に関連するものとしては、制御用通信処理部１３ａと、オペレーションコマンド処理部１３ｂと、装置管理部１３ｃと、ルーティングプロトコル処理部１３ｄと、シグナリングプロトコル処理部１３ｅとを有する。
【００７５】
制御用通信処理部１３ａは、他の装置との間でやり取りされる各種制御メッセージの送受信を制御する処理部である。例えば、制御用通信処理部１３ａは、他の装置から受信した制御メッセージをルーティングプロトコル処理部１３ｄと、シグナリングプロトコル処理部１３ｅとに振り分けたり、ルーティングプロトコル処理部１３ｄにより生成されたリンク情報や、シグナリングプロトコル処理部１３ｅにより編集されたパス確立要求メッセージを送信したりする。
【００７６】
なお、制御用通信処理部１３ａは、専用の制御線ではなく、例えばＷＤＭネットワークにおいて多重化された波長のうちの１つの特定の波長を用いて制御メッセージを受信するように構成してもよい。
【００７７】
オペレーションコマンド処理部１３ｂは、管理者などによってネットワーク管理装置から入力された経路設定情報をシグナリングプロトコル処理部１３ｅに引き渡す処理部である。
【００７８】
装置管理部１３ｃは、シグナリングプロトコル処理部１３ｅによって設定された経路設定に基づいて、光スイッチ１１ｃおよび１１ｄを制御して、ＷＤＭネットワークに対する信号の挿入および分岐を行う処理部である。
【００７９】
ルーティングプロトコル処理部１３ｄは、仮想リンクの生成およびリンク情報の広告や記憶に関する処理を行う処理部である。具体的には、このルーティングプロトコル処理部１３ｄは、接続可能リンク情報テーブル１２ａに記憶された接続可能リンク情報に基づいて、ＲＯＡＤＭ装置１０の低速側リンクと他のＲＯＡＤＭ装置の低速側リンクとの間で仮想リンクを生成する。かかる仮想リンク生成処理の処理手順については、後に図８を参照して詳細に説明する。
【００８０】
また、ルーティングプロトコル処理部１３ｄは、他のＲＯＡＤＭ装置の低速側リンクとの間で生成する仮想リンクの他にも、低速ネットワークを介して接続されているノード装置との間でも従来通りリンク情報を生成する。
【００８１】
また、ルーティングプロトコル処理部１３ｄは、接続可能リンク情報テーブル１２ａに記憶された接続可能リンク情報や低速側リンクの状態が変更されるたびに、仮想リンクを再生成し、再生した仮想リンクを広告する。これにより、仮想リンクの状態を最新に保つことができる。
【００８２】
そして、ルーティングプロトコル処理部１３ｄは、生成した仮想リンクを示すリンク情報を他の装置へ広告し、他のＲＯＡＤＭ装置やノード装置から広告されたリンク情報を制御用通信処理部１３ａから受け取ると、そのリンク情報をトポロジ情報テーブル１２ｂに記憶する。
【００８３】
なお、ルーティングプロトコル処理部１３ｄにより行われるリンク情報の広告には、所定のルーティングプロトコルが用いられ、例えばＧＭＰＬＳを利用したネットワークにおいては、ＯＳＰＦ−ＴＥが用いられる。
【００８４】
また、ルーティングプロトコル処理部１３ｄは、仮想リンクだけでなく、ＷＤＭネットワーク内で接続されている実リンクのリンク情報も広告する場合には、リンク情報に属性情報を追加して、仮想リンクと実リンクとが区別できるようにする。この属性情報には、例えばＧＭＰＬＳを利用したネットワークであれば、ＯＳＰＦ−ＴＥの「Resource Color sub-TLV」と呼ばれる情報フィールドを用いることができる。例えば、リンク情報の当該情報フィールドに「Resource Color=RED」が付与されている場合には、そのリンク情報が実リンクであると定義する。
【００８５】
これにより、ＷＤＭネットワーク外部のノード装置に対して、実リンクのリンク情報を仮想リンクの情報とは異なるものとして明示することができ、実リンクのリンク情報も広告する場合でも、ノード装置において経路計算が行われる際に実リンクのリンク情報を除外させることができる。
【００８６】
シグナリングプロトコル処理部１３ｅは、制御用通信処理部１３ａを介して受信されたパス確立要求メッセージに含まれる指定経路情報や、オペレーションコマンド処理部１３ｂを介して入力された経路設定情報に基づいて、ＲＯＡＤＭ装置１０のリンクを通過するパスの経路設定を行う処理部である。
【００８７】
また、シグナリングプロトコル処理部１３ｅは、パス確立要求メッセージに基づいてパスの経路設定を行う処理部である。具体的には、このシグナリングプロトコル処理部１３ｅは、制御用通信処理部１３ａを介してパス確立要求メッセージを受信すると、そのパス確立要求メッセージに含まれた指定経路情報に基づいて、ＲＯＡＤＭ装置１０のリンクを通過するパスの経路設定を行うとともに、設定したリンクの情報を指定経路情報から削除したうえで、次の送信先に指定された装置に対して、パス確立要求メッセージを送信する。この時、シグナリングプロトコル処理部１３ｅは、次の送信先に指定された装置のリンクが、仮想リンクであることを確認した場合には、パス確立要求メッセージから当該仮想リンクの識別子を削除し、代わりに、実リンクの識別子を挿入して、そのパス確立要求メッセージを送信する。
【００８８】
ここで、シグナリングプロトコル処理部１３ｅは、実リンクの識別子を挿入する際に、ホップ数が最小になる実リンクの組み合わせ、コストが最小になる実リンクの組み合わせ、または実リンクの帯域の空き状態に応じた組み合わせを選択して、選択した実リンクを挿入する。これにより、実リンクのリソースを考慮して効率良く割り当てることができる。
【００８９】
なお、シグナリングプロトコル処理部１３ｅにより行われるパス確立要求メッセージの送信には、所定のシグナリングプロトコルが用いられ、例えばＧＭＰＬＳを利用したネットワークにおいては、ＲＳＶＰ−ＴＥが用いられる。
【００９０】
次に、本実施例に係るノード装置の構成について説明する。ここで説明するノード装置は、図４および５に示した装置Ｐ〜Ｓに対応するものである。図７は、本実施例に係るノード装置の構成を示す機能ブロック図である。同図に示すように、このノード装置２０は、インタフェース部２１と、記憶部２２と、制御部２３とを有する。なお、ノード装置２０は、一般的な伝送装置や中継装置などが有する他の機能部も同様に有するが、ここでは説明の便宜上、図示を省略している。
【００９１】
インタフェース部２１は、低速側ネットワークを介して各種データをやり取りするためのインタフェース制御を行う処理部である。
【００９２】
記憶部２２は、各種情報を記憶する記憶部であり、本発明に関連するものとしては、トポロジ情報テーブル２２ａを有する。トポロジ情報テーブル２２ａは、図２および３に示したリンク情報を記憶するテーブルである。このトポロジ情報テーブル２２ａは、自装置のリンク情報のみではなく、他の装置から広告されたリンク情報も全て記憶しており、ここで記憶されるリンク情報には、仮想リンクを示すリンク情報も含まれる。具体的には、各リンク情報には、自装置識別子、自装置側リンク識別子、対向装置識別子、対向装置側リンク識別子および接続可能リンクペアの他に、コストに関する情報や帯域に関する情報などの属性情報も含まれる。さらに、リンク情報には、パス確立の始点となる装置において仮想リンクの識別子を実リンクの識別子に置き換える場合には、仮想リンクに対応する実リンクの識別子も含まれる。
【００９３】
制御部２３は、ノード装置２０を全体制御する制御部であり、本発明に関連するものとしては、制御用通信処理部２３ａと、ルーティングプロトコル処理部２３ｂと、シグナリングプロトコル処理部２３ｃと、経路計算処理部２３ｄとを有する。
【００９４】
制御用通信処理部２３ａは、他の装置との間でやり取りされる各種制御メッセージの送受信を制御する処理部である。例えば、制御用通信処理部２３ａは、他の装置から受信した制御メッセージをルーティングプロトコル処理部２３ｂ、シグナリングプロトコル処理部２３ｃおよび経路計算処理部２３ｄに振り分けたり、ルーティングプロトコル処理部２３ｂにより生成されたリンク情報を送信したり、シグナリングプロトコル処理部２３ｃによって生成されたパス確立要求メッセージを送信したりする。
【００９５】
ルーティングプロトコル処理部２３ｂは、リンク情報の広告や記憶に関する処理を行う処理部である。具体的には、このルーティングプロトコル処理部２３ｂは、ノード装置２０に接続されている他の装置との間のリンクを示すリンク情報を生成し、他の装置へ広告する。また、ルーティングプロトコル処理部２３ｂは、他の装置から広告されたリンク情報を制御用通信処理部２３ａから受け取ると、そのリンク情報をトポロジ情報テーブル２２ａに記憶させる。
【００９６】
なお、ルーティングプロトコル処理部２３ｂにより行われるリンク情報の広告には、所定のルーティングプロトコルが用いられ、例えばＧＭＰＬＳを利用したネットワークにおいては、ＯＳＰＦ−ＴＥが用いられる。
【００９７】
シグナリングプロトコル処理部２３ｃは、パス確立要求メッセージに基づいてパスの経路設定を行う処理部である。具体的には、制御用通信処理部２３ａを介してパス確立要求メッセージを受信すると、そのパス確立要求メッセージに含まれた指定経路情報に基づいて、ノード装置２０のリンクを通過するパスの経路設定を行うともに、設定したリンクの情報を指定経路情報から削除したうえで、次の送信先に指定された装置に対して、パス確立要求メッセージを送信する。
【００９８】
ここで、シグナリングプロトコル処理部２３ｃは、ＲＯＡＤＭ装置１０から実リンクのリンク情報も広告される場合には、自装置が信号送信の始点となるノードであった場合に、仮想リンクを実リンクに置き換えてからパス確立要求メッセージを送信するようにしてもよい。
【００９９】
また、シグナリングプロトコル処理部２３ｃは、後述する経路計算処理部２３ｄから指定経路情報を受け取ると、その指定経路情報を含めたパス確立要求メッセージを生成して、送信先に指定された装置に対して送信する。
【０１００】
なお、シグナリングプロトコル処理部２３ｃにより行われるパス確立要求メッセージの送信には、所定のシグナリングプロトコルが用いられ、例えばＧＭＰＬＳを利用したネットワークにおいては、ＲＳＶＰ−ＴＥが用いられる。
【０１０１】
経路計算処理部２３ｄは、リンク情報に基づいて、パスの経路計算を行う処理部である。具体的には、経路計算処理部２３ｄは、ノード装置２０に接続されている端末装置などを介して、端末利用者からパスの確立要求を受け付けると、トポロジ情報テーブル２２ａに記憶されたリンク情報に基づいてパスの経路計算を行い、その計算結果に基づいて指定経路情報を生成し、シグナリングプロトコル処理部２３ｃに引き渡す。かかる経路計算処理の処理手順については、後に図８を参照して詳細に説明する。
【０１０２】
次に、本実施例に係るＲＯＡＤＭ装置１０による仮想リンク生成処理の処理手順について説明する。図８は、本実施例に係るＲＯＡＤＭ装置１０による仮想リンクの生成処理の処理手順を示すフローチャートである。
【０１０３】
同図に示すように、ＲＯＡＤＭ装置１０では、起動時や、自装置の低速側リンクの状態が変化した場合には、ルーティングプロトコル処理部１３ｄが、他のＲＯＡＤＭ装置との間で光信号が到達可能であるか否かを確認する（ステップＳ１０１）。この確認の方法は、特に言及しない。例えば、ネットワーク管理装置に問い合わせて確認するようにしてもよいし、管理者からの入力によって到達可能な装置の情報をあらかじめ記憶しておくようにしてもよい。
【０１０４】
そして、ルーティングプロトコル処理部１３ｄは、光信号が到達可能であることを確認すると（ステップＳ１０２，Ｙｅｓ）、接続可能リンク情報テーブル１２ａに記憶された接続可能リンク情報を参照して、自装置の低速側リンクごとに、当該低速側リンクにより伝送される光信号を分岐可能な他のＲＯＡＤＭ装置の低速側リンクを検索し、検索した低速側リンクとの間で仮想リンクを生成する（ステップＳ１０３）。
【０１０５】
仮想リンクを生成すると、ルーティングプロトコル処理部１３ｄは、生成した仮想リンクを示すリンク情報を、他の装置に広告する（ステップＳ１０４）。
【０１０６】
次に、本実施例に係るノード装置２０による経路計算処理の処理手順について説明する。図９は、本実施例に係るノード装置２０による経路計算処理の処理手順を示すフローチャートである。
【０１０７】
同図に示すように、ノード装置２０では、自装置に接続されている端末装置などを介して端末利用者からパスの確立要求を受け付けると、経路計算処理部２３ｄが、端末利用者により指定された始点ノードから終点ノードまでの最短経路を探索する（ステップＳ２０１）。具体的には、経路計算処理部２３ｄは、トポロジ情報テーブル２２ａのリンク情報を参照し、始点ノードから終点ノードまでの経路を構成するリンクを選択する。
【０１０８】
ここで、経路計算処理部２３ｄは、経路が最短となるように、最も少ない数で経路を構成するようにリンクを選択するが、この時には、各リンクについて所定の条件に基づいて収容可否判定を行い、収容可能と判定したもののみを選択する。ここで用いられる収容可否判定の方法には、公知の一般的な判定方法が用いられる。例えば、経路計算処理部２３ｄは、ビットレート（帯域）や各種属性（スイッチング能力やエンコーディングタイプ、プロテクション属性など）など、パスを確立する際に要求される設定値について、所定の条件を満たすリンクのみを選択する。
【０１０９】
続いて、経路計算処理部２３ｄは、探索された経路上（選択されたリンク）に仮想リンクが含まれているか否かを確認し（ステップＳ２０２）、含まれていなかった場合には（ステップＳ２０３，Ｎｏ）、経路計算処理を終了する。これにより、ステップＳ２０１において探索された最短経路が、そのまま、経路計算の結果となる。
【０１１０】
一方、探索された最短経路上に仮想リンクが含まれていた場合には（ステップＳ２０３，Ｙｅｓ）、経路計算処理部２３ｄは、トポロジ情報テーブル２２ａのリンク情報を参照して、仮想リンクの１つ手前のホップとして選択されていたリンクと、１つ後のホップとして選ばれていたリンクとが該仮想リンクに対して接続可能なリンクであるか否かを、仮想リンクの持つ接続可能リンクペア情報を参照して判定する（ステップＳ２０４）。
【０１１１】
具体的には、経路計算処理部２３ｄは、トポロジ情報テーブル２２ａに格納されている当該仮想リンクのリンク情報を参照し、当該仮想リンクの１つ手前のリンクと１つ後のリンクとの組が、接続可能リンクペアの中に含まれているか否かを確認する。ここで、当該リンクの組が含まれていた場合には、経路計算処理部２３ｄは、このリンクの組が当該仮想リンクの前後に接続可能な組であると判定し、一方、当該リンクの組が含まれていなかった場合には、このリンクの組が当該仮想リンクの前後に接続不可能な組であると判定する。
【０１１２】
ここで、前後のリンクが当該仮想リンクに接続可能なリンクであると判定した場合、すなわち仮想リンクのもつ接続可能リンクペア情報のいずれかの組に一致する場合には（ステップＳ２０５，Ｙｅｓ）、経路計算処理部２３ｄは、それらのリンクを仮想リンクの前後に接続するリンクとして選択し（ステップＳ２０８）、これにより決められる経路を、経路計算の結果とする。
【０１１３】
一方、接続可能なリンクでなかった場合には（ステップＳ２０５，Ｎｏ）、経路計算処理部２３ｄは、トポロジ情報テーブル２２ａに格納された当該仮想リンクのリンク情報を参照して、この仮想リンクの１つ手前および１つ後ろそれぞれのホップについて、同じ対向装置に関して、接続可能なリンクが他にあるか否かを確認する（ステップＳ２０６）。すなわち、経路計算処理部２３ｄは、探索された最短経路において通過するノード装置は変えずに、当該最短経路において通過するノード装置間のリンクを変えることによって、始点ノードから終点ノードまでの経路が確立できるか否かを判定する。
【０１１４】
具体的には、経路計算処理部２３ｄは、トポロジ情報テーブル２２ａに格納されている当該仮想リンクのリンク情報を参照し、当該仮想リンクの１つ手前および１つ後ろそれぞれのホップについて、同じ対向装置に関するリンクの組が接続可能リンクペアの中に存在するか否かを判定する。
【０１１５】
そして、接続可能なリンクが他にあった場合、すなわち、当該仮想リンクのもつ接続可能リンクペア情報のいずれかの組に、対向装置が一致するリンクが存在していた場合には（ステップＳ２０７，Ｙｅｓ）、経路計算処理部２３ｄは、当該リンクを仮想リンクの前後に接続されるリンクとする（ステップＳ２０８）。
【０１１６】
ところで、ここで参照するトポロジ情報テーブル２２ａの当該仮想リンクのリンク情報には、ステップＳ２０１において収容可否判定を行った際に収納不可能と判定したリンクも含まれている場合がある。そこで、経路計算処理部２３ｄは、対向装置が一致するリンクが存在しているか否かを判定する際には、あらためて収容可否判定を行い、収容可能なリンクのみを対象として、かかる存在判定を行う。すなわち、該仮想リンクのもつ接続可能リンクペア情報のいずれかの組に、対向装置が一致するリンクが存在していた場合でも、存在していたリンクが全て収容不可能なリンクであった場合には、接続可能なリンクが他になかったと判定する。
【０１１７】
一方、接続可能なリンクが他になかった場合には、経路計算処理部２３ｄは、当該仮想リンクをトポロジ情報テーブル２２ａから削除し（ステップＳ２０９）、ステップＳ２０１に戻って、最短経路の探索からやり直す。
【０１１８】
ここで、上述した経路計算処理について、具体的に例をあげて説明する。図１０および１１は、経路計算処理の一例を説明するための図（１）および（２）である。まず、図１１において、装置Ｆ〜Ｉは、それぞれＲＯＡＤＭ装置を示しており、装置Ｔ〜Ｗは、それぞれノード装置を示している。
【０１１９】
装置Ｆ〜Ｉは、それぞれ、ＷＤＭネットワーク６を介してリングネットワークを構成するように接続されており、装置Ｆには、リンクＦ１、Ｆ２およびＦ３を介して装置Ｕが接続されており、装置Ｈには、リンクＨ１、Ｈ２およびＨ３を介して装置Ｖが接続されている。また、装置Ｕには、ネットワーク７を介して装置Ｔが接続されており、装置Ｖには、ネットワーク８を介して装置Ｗが接続されている。
【０１２０】
また、装置Ｆと装置Ｈとの間には、仮想リンクＦＨが設定されており、この仮想リンクＦＨのリンク情報には、接続可能リンクペアとして、リンクＦ２とリンクＨ１との組、および、リンクＦ３とリンクＨ２との組がそれぞれ含まれている。
【０１２１】
ここで、装置Ｔにおいて、始点ノードを装置Ｔ、終点ノードを装置Ｗとするパスの経路計算が行われる場合について考える。まず、利用者によってパス確立コマンド投入が行われると、これを契機に、装置Ｔの経路計算処理部２３ｄは、装置Ｔと装置Ｗとの間の最短経路を探索する。例えば、経路計算処理部２３ｄは、リンクＦ１、仮想リンクＦＨおよびリンクＨ１を通る経路を探索したとする。
【０１２２】
続いて、経路計算処理部２３ｄは、探索した経路上に仮想リンクが含まれているか否かを確認し、仮想リンクＦＨが含まれていることから、続いて、トポロジ情報テーブル２２ａに格納されているリンク情報を参照し、仮想リンクＦＨの１つ手前のホップとして選択されているリンクＦ１と、１つ後のホップとして選ばれているリンクＨ１とが仮想リンクＦＨに対して接続可能なリンクであるか否かを、仮想リンクＦＨの接続可能リンクペアを参照して判定する。
【０１２３】
ここで、仮想リンクＦＨの接続可能リンクペアにはリンクＦ１とリンクＨ１との組が含まれていないことから、経路計算処理部２３ｄは、これらのリンクが仮想リンクＦＨに接続不可能であると判定する。
【０１２４】
そして、経路計算処理部２３ｄは、トポロジ情報テーブル２２ａに格納された仮想リンクＦＨのリンク情報を参照して、装置Ｕと装置Ｆとの間のリンク、および、装置Ｈと装置Ｖとの間のリンクに、接続可能な組があるか否かを確認する。
【０１２５】
なお、ここでは、経路計算処理部２３ｄは、あくまで装置Ｕと装置Ｆとの間のリンク、および、装置Ｈと装置Ｖとの間のリンクに接続可能な組合せがあるか否かを確認する。そのため、仮想リンクＦＨのリンク情報に、接続可能なリンクの組である、リンクＦ２とリンクＨ１との組、および、リンクＦ３とリンクＨ２との組が存在した場合でも、例えば図１１に示すように、リンクＦ３に装置Ｕとは異なるノード装置である装置Ｚが接続されており、かつ、この装置Ｚと装置Ｔとを接続するリンクが存在していない場合には、そもそもここで確立しようとしているパスの経路（装置Ｔから装置Ｗへのパス）がリンクＦ３を通過して設定されることはないので、経路計算処理部２３ｄは、リンクＦ３とリンクＨ２との組は確認の対象外とする。
【０１２６】
図１０の説明にもどって、仮想リンクＦＨのリンク情報の接続可能リンクペアには、リンクＦ２とリンクＨ１との組、および、リンクＦ３とリンクＨ２との組が含まれているので、経路計算処理部２３ｄは、まず、リンクＦ２とリンクＨ１、または、リンクＦ３とリンクＨ２を、それぞれ接続可能であると判定する。
【０１２７】
ここで、例えば、要求されたパスの経路として必要な条件を満たさないために（例えば、２．４Ｇのパスを要求されたが、リンクＦ２またはリンクＨ１の残り帯域がゼロとしてリンク情報が広告されていた場合など）、リンクＦ２とリンクＨ１との組が利用不可能であったとする。この場合、経路計算処理部２３ｄは、残ったリンクＦ３とリンクＨ２とを、仮想リンクの前後に接続されるリンクとし、リンクＦ３、仮想リンクＦＨおよびリンクＨ２を通る経路を、経路計算の結果とする。
【０１２８】
また、例えば、リンクＦ２とリンクＨ１との組、および、リンクＦ３とリンクＨ２との組の両方が利用不可能（これらのリンクは、パスの経路として必要な条件を満たさないために、最短経路の探索では選択されなかった）であった場合には、経路計算処理部２３ｄは、仮想リンクＦＨのリンク情報をトポロジ情報テーブル２２ａから削除し、最短経路の探索からやり直す。
【０１２９】
上述してきたように、本実施例では、ＲＯＡＤＭ装置１０が、ノード装置２０から信号が送信されるリンクと、そのリンクを用いて送信された信号がＷＤＭネットワークを介して伝送される場合に、その信号の分岐が可能なＲＯＡＤＭ装置のリンクとが仮想的に接続された仮想リンクの情報を含むリンク情報を生成し、生成したリンク情報を送信するので、ノード装置２０において、かかるリンク情報に基づいて信号を送信する経路を計算することが可能になり、ＷＤＭネットワークを構成するＲＯＡＤＭ装置において分岐可能なリンクの制約がある場合でも、該ＷＤＭネットワークを経由して送信される信号の経路を自動的に設定することができる。
【０１３０】
また、本実施例では、ＲＯＡＤＭ装置１０が、自装置と実ファイバを介して接続されたＲＯＡＤＭ装置との間の実リンクの情報を含めたリンク情報を生成するようにしてもよいこととした。これにより、ノード装置２０において経路計算が行われる際に仮想リンクを実リンクに置き換えることが可能になり、仮想リンクの置き換えを行う機能を有さないＲＯＡＤＭ装置でも、信号の経路を設定することができる。
【０１３１】
また、本実施例では、ＲＯＡＤＭ装置１０が、ノード装置２０から信号が送信されるリンクと、そのリンクを用いて送信された信号がＷＤＭネットワークを介して伝送される場合に、その信号の分岐が可能な信号分岐装置のリンクとを対応付けた接続可能リンク情報を接続可能リンク情報テーブル１２ａに記憶し、記憶した接続可能リンク情報に基づいて仮想リンクの情報を含むリンク情報を生成するので、かかる接続可能リンク情報を適宜変更することによって、生成される仮想リンクを変更することができる。
【０１３２】
また、本実施例では、ＲＯＡＤＭ装置１０が、接続可能リンク情報テーブル１２ａに記憶した接続可能リンク情報が変更されるたびに仮想リンクの情報を含むリンク情報を再生成し、仮想リンクを再生成するたびに当該仮想リンクの情報を含むリンク情報を再送信するので、かかる接続可能リンク情報を適宜変更することによって、生成される仮想リンクを自動的に変更することができる。
【０１３３】
また、本実施例では、ＲＯＡＤＭ装置１０が、送信したリンク情報に基づいて算出された仮想リンクの情報を含む指定経路情報をノード装置２０から受信した場合に、その指定経路情報に含まれる仮想リンクの情報を、自装置と実ファイバを介して接続された信号分岐装置との間の実リンクの情報に変換し、変換した実リンクの情報を含む指定経路情報を転送するので、仮想リンクの変換を行う機能を有さないノード装置を用いた場合でも、信号の経路を設定することができる。
【０１３４】
また、本実施例では、ノード装置２０が、ノード装置２０から信号が送信されるリンクと、そのリンクにより送信された信号がＷＤＭネットワークを介して伝送される場合に、その信号の分岐が可能なＲＯＡＤＭ装置のリンクとが仮想的に接続された仮想リンクの情報を含むリンク情報を生成するＲＯＡＤＭ装置１０により送信されたリンク情報を受信し、受信したリンク情報に基づいて送信経路を算出し、算出した送信経路を経路情報として送信するので、かかる経路情報に基づいて経路設定を行うことにより、ＷＤＭネットワークを構成するＲＯＡＤＭ装置１０において分岐可能なリンクの制約がある場合でも、該ＷＤＭネットワークを経由して送信される信号の経路を自動的に設定することができる。
【０１３５】
また、本実施例では、ノード装置２０が、算出した送信経路に仮想リンクの情報が含まれていた場合に、その仮想リンクの情報をＲＯＡＤＭ装置１０と実ファイバで接続されているＲＯＡＤＭ装置との間の実リンクの情報に変換してもよいこととした。これにより、ＲＯＡＤＭ装置１０に送信される経路情報はすでに実リンクのみに変換されていることになり、仮想リンクの変換を行う機能を有さないＲＯＡＤＭ装置を用いた場合でも、信号の経路を設定することができる。
【０１３６】
ところで、上記実施例で説明した各種の処理は、あらかじめ用意されたプログラムをコンピュータに備えられたＣＰＵ（Central Processing Unit）、ＭＣＵ（Micro Control Unit）、ＭＰＵ（Micro Processing Unit）などの処理装置で実行することによって実現することができる。
【０１３７】
ＲＯＡＤＭ装置１０においては、図６には図示していないＲＯＭ（Read Only Memory）やハードディスク、フラッシュメモリなどの記憶装置に各種の処理を実現する各種のプログラムが記憶されており、制御部１３がＲＯＭに記録された各種のプログラムを読み出して実行することにより、上述した制御用通信処理部１３ａ、オペレーションコマンド処理部１３ｂ、装置管理部１３ｃ、ルーティングプロトコル処理部１３ｄおよびシグナリングプロトコル処理部１３ｅの機能を実現する各種プロセスが起動される。
【０１３８】
また、ノード装置２０においては、図７には図示していないＲＯＭやハードディスクなどの記憶装置に各種の処理を実現する各種のプログラムが記憶されており、制御部２３がＲＯＭに記録された各種のプログラムを読み出して実行することにより、上述した制御用通信処理部２３ａ、ルーティングプロトコル処理部２３ｂ、シグナリングプロトコル処理部２３ｃおよび経路計算処理部２３ｄの機能を実現する各種プロセスが起動される。
【０１３９】
また、本実施例では、ＲＯＡＤＭ装置について説明したが、本発明はこれに限定されるものではなく、接続されているリンクに制約がある信号分岐装置であれば、同様に適用することができる。
【０１４０】
また、本実施例では、ＷＤＭ方式で多重化されたネットワークについて説明したが、本発明はこれに限定されるものではなく、例えば、ＳＯＮＥＴ／ＳＤＨ方式のネットワークにおいてタイムスロットに制約がある場合などにも同様に適用することができる。
【０１４１】
また、本実施例では、リング型のネットワークについて説明したが、本発明はこれに限定されるものではなく、メッシュ型やバス型（リニア型）などのネットワークにも同様に適用することができる。
【０１４２】
また、本実施例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４３】
この他、上記文書中や図面中で示した処理手順、制御手順、具体的名称、各種のデータやパラメータを含む情報については、特記する場合を除いて任意に変更することができる。
【０１４４】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１４５】
さらに、各装置にて行われる各処理機能は、その全部または任意の一部が、ＣＰＵなどの処理装置および当該処理装置にて解析実行されるプログラムにて実現され、あるいは、ワイヤードロジックによるハードウェアとして実現され得る。
【０１４６】
（付記１）第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、
前記仮想リンク生成手段により生成されたリンク情報を送信するリンク情報送信手段と、
を備えたことを特徴とする信号中継装置。
【０１４７】
（付記２）前記仮想リンク生成手段は、自装置と実回線を介して接続された信号分岐装置との間の実リンクを含めたリンク情報を生成することを特徴とする付記１に記載の信号中継装置。
【０１４８】
（付記３）前記ノード装置が信号の送信に用いるリンクと、該リンクを用いて送信された信号が前記第一のネットワークを介して伝送される場合に該信号の分岐が可能な信号分岐装置のリンクとを対応付けた接続可能リンク情報を記憶する接続可能リンク記憶手段をさらに備え、
前記仮想リンク生成手段は、前記接続可能リンク記憶手段により記憶された接続可能リンク情報に基づいて前記仮想リンクを含むリンク情報を生成することを特徴とする付記１または２に記載の信号中継装置。
【０１４９】
（付記４）前記仮想リンク生成手段は、前記接続可能リンク記憶手段により記憶された接続可能リンク情報が変更されるたびに前記仮想リンクを含むリンク情報を再生成し、
前記リンク情報送信手段は、前記仮想リンク生成手段により仮想リンクが再生成されるたびに該仮想リンクを含むリンク情報を再送信することを特徴とする付記３に記載の信号中継装置。
【０１５０】
（付記５）前記仮想リンク生成手段は、前記信号分岐装置のリンクの状態が変更されるたびに前記仮想リンクを含むリンク情報を再生成し、
前記リンク情報送信手段は、前記仮想リンク生成手段により仮想リンクが再生成されるたびに該仮想リンクを含むリンク情報を再送信することを特徴とする付記１〜４のいずれか一つに記載の信号中継装置。
【０１５１】
（付記６）前記仮想リンク生成手段は、前記仮想リンクを含むリンク情報を自装置と前記信号分岐装置との組ごとに生成することを特徴とする付記１〜５のいずれか一つに記載の信号中継装置。
【０１５２】
（付記７）前記リンク情報送信手段により送信されたリンク情報に基づいて算出された前記仮想リンクの情報を含む経路情報を前記ノード装置から受信した場合に、該経路情報に含まれる仮想リンクの情報を、自装置と実回線を介して接続された信号分岐装置との間の実リンクの情報に変換し、変換した実リンクの情報を含む経路情報を転送する経路情報転送手段をさらに備えたことを特徴とする付記１〜６のいずれか一つに記載の信号中継装置。
【０１５３】
（付記８）前記経路情報転送手段は、前記仮想リンクの情報を前記実リンクの情報に変換する際に、該実リンクのホップ数が最小となる実リンクの情報を用いて変換することを特徴とする付記７に記載の信号中継装置。
【０１５４】
（付記９）前記経路情報転送手段は、前記仮想リンクの情報を前記実リンクの情報に変換する際に、該実リンクのコストが最小となる実リンクの情報を用いて変換することを特徴とする付記７に記載の信号中継装置。
【０１５５】
（付記１０）前記経路情報転送手段は、前記仮想リンクの情報を前記実リンクの情報に変換する際に、該実リンクの開き状態に基づいて変換することを特徴とする付記７に記載の信号中継装置。
【０１５６】
（付記１１）信号分岐装置および信号中継装置により構成される第一のネットワークを経由した信号の送信経路を算出するノード装置であって、
前記ノード装置から信号が送信されるリンクと、該リンクにより送信された信号が前記第一のネットワークを介して伝送される場合に該信号の分岐が可能な前記信号分岐装置のリンクとが仮想的に接続された仮想リンクを含むリンク情報を生成する信号中継装置により送信されたリンク情報を受信するリンク情報受信手段と、
前記リンク情報受信手段により受信されたリンク情報に基づいて前記送信経路を算出する経路計算手段と、
前記経路計算手段により算出された送信経路を経路情報として送信する経路情報送信手段と、
を備えたことを特徴とするノード装置。
【０１５７】
（付記１２）前記経路計算手段は、算出した送信経路に仮想リンクの情報が含まれていた場合に、該仮想リンクの情報を信号中継装置と実回線で接続されている信号分岐装置との間の実リンクの情報に変換することを特徴とする付記１１に記載のノード装置。
【０１５８】
（付記１３）前記経路計算手段は、前記仮想リンクの情報を前記実リンクの情報に変換する際に、該実リンクのホップ数が最小となる実リンクの情報を用いて変換することを特徴とする付記１２に記載のノード装置。
【０１５９】
（付記１４）前記経路計算手段は、前記仮想リンクの情報を前記実リンクの情報に変換する際に、該実リンクのコストが最小となる実リンクの情報を用いて変換することを特徴とする付記１２に記載のノード装置。
【０１６０】
（付記１５）前記経路計算手段は、前記仮想リンクの情報を前記実リンクの情報に変換する際に、該実リンクの開き状態に基づいて変換することを特徴とする付記１２に記載のノード装置。
【０１６１】
（付記１６）第一のネットワークを介して伝送される信号を第二のネットワークに分岐する信号分岐装置と、第三のネットワークを介して送信される信号を前記第一のネットワークに挿入する信号中継装置と、前記第一のネットワークを経由した信号の送信経路を算出するノード装置とから構成されるネットワークシステムであって、
前記信号中継装置が、
第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手段と、
前記仮想リンク生成手段により生成されたリンク情報を送信するリンク情報送信手段と、
を備え、
前記ノード装置が、
前記信号中継装置により送信されたリンク情報を受信するリンク情報受信手段と、
前記リンク情報受信手段により受信されたリンク情報に基づいて前記送信経路を算出する経路計算手段と、
前記経路計算手段により算出された送信経路を経路情報として送信する経路情報送信手段と、
を備えたことを特徴とするネットワークシステム。
【０１６２】
（付記１７）第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成方法であって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成工程と、
前記仮想リンク生成工程により生成されたリンク情報を送信するリンク情報送信工程と、
を含んだことを特徴とする仮想リンク生成方法。
【０１６３】
（付記１８）信号分岐装置および信号中継装置により構成される第一のネットワークを経由した信号の送信経路を算出する経路算出方法であって、
前記ノード装置から信号が送信されるリンクと、該リンクにより送信された信号が前記第一のネットワークを介して伝送される場合に該信号の分岐が可能な前記信号分岐装置のリンクとが仮想的に接続された仮想リンクを含むリンク情報を生成する信号中継装置により送信されたリンク情報を受信するリンク情報受信工程と、
前記リンク情報受信工程により受信されたリンク情報に基づいて前記送信経路を算出する経路計算工程と、
前記経路計算工程により算出された送信経路を経路情報として送信する経路情報送信工程と、
を含んだことを特徴とする経路算出方法。
【０１６４】
（付記１９）第一のネットワークを介して伝送される信号を第二のネットワークに分岐する信号分岐装置とともに前記第一のネットワークに接続され、第三のネットワークを介してノード装置から送信される信号を前記第一のネットワークに挿入する信号中継装置において仮想リンクを生成する仮想リンク生成プログラムであって、
前記ノード装置が信号の送信に用いるリンクと、該リンクを用いて送信された信号が前記第一のネットワークを介して伝送される場合に該信号の分岐が可能な信号分岐装置のリンクとが仮想的に接続された仮想リンクを含むリンク情報を生成する仮想リンク生成手順と、
前記仮想リンク生成手順により生成されたリンク情報を送信するリンク情報送信手順と、
をコンピュータに実行させることを特徴とする仮想リンク生成プログラム。
【０１６５】
（付記２０）信号分岐装置および信号中継装置により構成される第一のネットワークを経由した信号の送信経路を算出する経路算出プログラムであって、
前記ノード装置から信号が送信されるリンクと、該リンクにより送信された信号が前記第一のネットワークを介して伝送される場合に該信号の分岐が可能な前記信号分岐装置のリンクとが仮想的に接続された仮想リンクを含むリンク情報を生成する信号中継装置により送信されたリンク情報を受信するリンク情報受信手順と、
前記リンク情報受信手順により受信されたリンク情報に基づいて前記送信経路を算出する経路計算手順と、
前記経路計算手順により算出された送信経路を経路情報として送信する経路情報送信手順と、
をコンピュータに実行させることを特徴とする経路算出プログラム。
【産業上の利用可能性】
【０１６６】
以上のように、本発明に係る信号中継装置、ノード装置、ネットワークシステム、仮想リンク生成方法および仮想リンク生成プログラムは、第一のネットワークを介して伝送される信号を第二のネットワークに分岐する信号分岐装置と、第三のネットワークを介して送信される信号を前記第一のネットワークに挿入する信号中継装置と、前記第一のネットワークを経由した信号の送信経路を算出するノード装置とから構成されるネットワークシステムにおいて有用であり、特に、ネットワークを構成する信号分岐装置において分岐可能なリンクの制約がある場合でも、該ネットワークを経由して送信される信号の経路を自動的に設定する場合に適している。
【図面の簡単な説明】
【０１６７】
【図１】本実施例に係る仮想リンクの生成方法を説明するための図（１）である。
【図２】本実施例に係る仮想リンクの生成方法を説明するための図（２）である。
【図３】本実施例に係る仮想リンクの生成方法を説明するための図（３）である。
【図４】本実施例に係るパスの設定方法を説明するための図（１）である。
【図５】本実施例に係るパスの設定方法を説明するための図（２）である。
【図６】本実施例に係るＲＯＡＤＭ装置の構成を示す機能ブロック図である。
【図７】本実施例に係るノード装置の構成を示す機能ブロック図である。
【図８】本実施例に係るＲＯＡＤＭ装置による仮想リンクの生成処理の処理手順を示すフローチャートである。
【図９】本実施例に係るノード装置による経路計算処理の処理手順を示すフローチャートである。
【図１０】経路計算処理の一例を説明するための図（１）である。
【図１１】経路計算処理の一例を説明するための図（２）である。
【図１２】ＲＯＡＤＭ装置の構成を示す図である。
【図１３】接続制約のあるネットワークの課題を説明するための図である。
【符号の説明】
【０１６８】
１    ＲＯＡＤＭ装置
１ａ，１ｂ，１ｃ，１ｄ    装置（ＲＯＡＤＭ装置）
２ａ，２ｂ，２ｃ，２ｄ    ノード装置
３ａ，３ｂ，３ｃ，３ｄ，３ｅ    接続可能リンク情報
４ａ，４ｂ，４ｃ，４ｄ，５ａ，５ｂ    リンク情報
５    ＷＤＭネットワーク
６，７    ネットワーク
１０    ＲＯＡＤＭ装置
１１    スイッチ部
１１ａ    分波器
１１ｂ    合波器
１１ｃ，１１ｄ    光スイッチ
１２    記憶部
１２ａ    接続可能リンク情報テーブル
１２ｂ    トポロジ情報テーブル
１３    制御部
１３ａ    制御用通信処理部
１３ｂ    オペレーションコマンド処理部
１３ｃ    装置管理部
１３ｄ    ルーティングプロトコル処理部
１３ｅ    シグナリングプロトコル処理部
２０    ノード装置
２１    インタフェース部
２２    記憶部
２２ａ    トポロジ情報テーブル
２３    制御部
２３ａ    制御用通信処理部
２３ｂ    ルーティングプロトコル処理部
２３ｃ    シグナリングプロトコル処理部
２３ｄ    経路計算処理部
Ａ，Ｂ，Ｃ，Ｄ，Ｅ，Ｆ，Ｇ，Ｈ，Ｉ    装置（ＲＯＡＤＭ装置）
Ａ１，Ａ２，Ｂ１，Ｂ２,Ｃ１，Ｃ２，Ｄ１，Ｄ２，Ｅ１，Ｅ２    ＷＤＭリンク
Ａ３，Ａ４，Ａ５，Ｂ３，Ｂ４，Ｃ３，Ｃ４，Ｃ５，Ｄ３，Ｄ４，Ｄ５，Ｅ３，Ｅ４，Ｅ５    低速側リンク
ＡＸ１，ＡＸ２，ＡＹ１，ＡＹ２，ＤＸ１，ＤＸ２，ＤＹ１，ＤＹ２，ＦＨ    仮想リンク
Ｐ，Ｑ，Ｒ，Ｓ，Ｔ，Ｕ，Ｖ，Ｗ    装置（ノード装置）
Ｑ１，Ｒ１，Ｒ２，Ｒ３，Ｓ１，Ｆ１，Ｆ２，Ｆ３，Ｈ１，Ｈ２，Ｈ３    リンク
Ｌ，Ｍ，Ｎ    ポート
Ｘ，Ｙ    パス
【図１】
2008078933.tif 000003
【図２】
2008078933.tif 000004
【図３】
2008078933.tif 000005
【図４】
2008078933.tif 000006
【図５】
2008078933.tif 000007
【図６】
2008078933.tif 000008
【図７】
2008078933.tif 000009
【図８】
2008078933.tif 000010
【図９】
2008078933.tif 000011
【図１０】
2008078933.tif 000012
【図１１】
2008078933.tif 000013
【図１２】
2008078933.tif 000014
【図１３】
2008078933.tif 000015